(57)【要約】【課題】  容易な操作によって、完全に密封することができ、比較的安価なボトル密閉用キャップを提供する。【解決手段】  有底円筒状のボトルに螺合する樹脂製、柔軟樹脂製あるいは柔軟剤入り樹脂製のボトル密閉用キャップであって、ボトル密閉用キャップの栓部の自由端近くが自由端に向かうにつれて外径が大きくなるとともに肉厚が薄くなる可変形部となっており、ボトル密閉用キャップの栓部の可変形部がボトルの内側面に当接して密封することを特徴とするボトル密閉用キャップである。【選択図】  図１
2007001610.tif 000002
【特許請求の範囲】
【請求項１】
有底円筒状のボトルに螺合する樹脂製、柔軟樹脂製あるいは柔軟剤入り樹脂製のボトル密閉用キャップであって、
ボトル密閉用キャップの栓部の自由端近くが自由端に向かうにつれて外径が大きくなるとともに肉厚が薄くなる可変形部となっており、ボトル密閉用キャップの栓部の可変形部がボトルの内側面に当接して密封することを特徴とするボトル密閉用キャップ。
【請求項２】
有底円筒状のボトルに挿入する樹脂製、柔軟樹脂製あるいは柔軟剤入り樹脂製のボトル密閉用キャップであって、
ボトル密閉用キャップの栓部の自由端近くが自由端に向かうにつれて外径が大きくなるとともに肉厚が薄くなる可変形部となっており、ボトル密閉用キャップの栓部の可変形部がボトルの内側面に当接して密封することを特徴とするボトル密閉用キャップ。
【請求項３】
可変形部の先端が円形である請求項１または２に記載のボトル密閉用キャップ。
【請求項４】
可変形部の先端が楕円形である請求項１または２に記載のボトル密閉用キャップ。
【請求項５】
可変形部の先端が正ｎ角形（ただし、ｎは５以上の整数）である請求項１または２に記載のボトル密閉用キャップ。
【発明の詳細な説明】
【技術分野】
【０００１】
本発明はボトル密閉用キャップに関する。当該キャップによって密閉しようとするボトルとしては、ウィスキー、ワイン、ブランデー、シャンパン、日本酒、焼酎などアルコール飲料を収納する容器、炭酸ガスが溶け込んでいる炭酸飲料、ジュースなどのソフトドリンクを収納する容器、薬液、化学液などを収納する容器、血液、尿、水、海水など液体試料を収納する容器が含まれるが、液体のみならず、流動体、粉体、固体を収納する容器も含まれる。
【背景技術】
【０００２】
図２は従来のボトル密閉用キャップの正面断面図である。
【０００３】
ボトル２は、口部２０と本体部２２と底部２５と脚部２６とからなる。
【０００４】
口部２０の内面２０ａは直径Ｄ１の円柱状であり、外面にはネジ山２１が形成されている。
【０００５】
本体部２２の外面は円柱状であるが、従来のボトル２の本体部２２の内面は、上部は、上端の直径がＤ１で、下端の直径がＤ２で直径が中心軸に沿って直線状に変化するテーパー面２３（あるいは円錐体の側面状）であり、その下部は直径Ｄ２の円柱状の下部面２４である。
【０００６】
脚部２６は底部２５より下方へ伸出した円筒状であるが、製造コストの低減などの観点から、必要に応じて、４〜５本の切り込みを設けてもよい。切り込みは中心線に平行で脚部２６の下端から伸びる直線状とすることができる。
【０００７】
一方、ボトル密閉用キャップ１はつまみ部１０と上部１２と栓部１３とテーパー部１５とからなる。
【０００８】
上部１２は円板状であり、中心軸を共通にして、中央に円柱状の栓部１３が配置され、周辺に円筒状のつまみ部１０が配置されている。栓部１３とつまみ部１０は上部１２に対し同一方向に配置されている。栓部１３には、中心軸を共通にして、テーパー部１５が接続され、先端をなしている。
【０００９】
つまみ部１０の外面は指でつまんで回転させる時に滑りにくいように、凹凸が形成されたり、多角柱体となっていたりするのが望ましい。つまみ部１０の内面にはネジ溝１１が形成されている。
【００１０】
栓部１３は直径Ｄ１´の円柱状である。テーパー部１５は円錐台状であり、栓部１３との接続部において直径はＤ１´であり、中心軸に沿って直線的に直径が減少し、先端において直径はＤ２´である。
【００１１】
ボトル２にボトル密閉用キャップ１をネジ込むと、ボトル２のネジ山２１とボトル密閉用キャップ１のネジ溝１１とが螺合し、ボトル密閉用キャップ１のテーパー部１５はボトル２の内部へと進んで行く。すると、ボトル密閉用キャップ１のテーパー部１５の側面１５ｃはボトル２のテーパー面２３と接触して密閉するように設計されている。そのために、直径Ｄ１、Ｄ２、Ｄ１´、Ｄ２´との間には次のような関係となるように設計されている。
Ｄ１≧Ｄ１´
Ｄ２≦Ｄ２´
【発明の開示】
【発明が解決しようとする課題】
【００１２】
図３は従来のボトルとボトル密閉用キャップとの密閉不良を示す正面断面図である。
【００１３】
ボトル密閉用キャップ１のテーパー部１５のテーパー角θ２がボトル２のテーパー面２３のテーパー角θ１よりも小さい時には図３（ａ）に示すようにボトル密閉用キャップ１のテーパー部１５の先端のみでボトル２のテーパー面２３にほぼ点接触し、その他の位置においては隙間があり、密封が不十分である。
【００１４】
逆に、θ２がθ１よりも大きい時には、図３（ｂ）に示すようにボトル密閉用キャップ１のテーパー部１５とボトル２のテーパー面２３とはまったく接触せずに貫通する隙間が生じ封止できない。
【００１５】
図４は従来のボトルとボトル密閉用キャップとの他の密封不良を示す平面断面図である。ボトル密閉用キャップのテーパー部１５を通り、中心軸に垂直な断面を示す。
【００１６】
図４（ａ）では、ボトル密閉用キャップのテーパー部１５の断面が円形ではなく、楕円形に変形している。そのため、テーパー部１５は２点においてボトルのテーパー面２３と当接しているが、その他の部分においては隙間がある。しかしながら、テーパー部１５とテーパー面２３が２点で当接しているため、ボトル密閉用キャップをボトルに対して、さらに増し締めすることはできない。その結果として、ボトルの密封が不完全となる。
【００１７】
図４（ｂ）では、ボトルのテーパー面の断面が円形ではなく、楕円形に変形している。同様に、テーパー部１５とテーパー面との間に隙間があり、増し締めすることができない。その結果として、ボトルの密封が不完全となる。
【００１８】
また、図示していないが、テーパー部１５あるいはテーパー面に深い傷溝がある場合にも、隙間が残ってしまう。その結果として、ボトルの密封が不完全となる。
【００１９】
よって、本発明の目的は、容易な操作によって、完全に密封することができ、比較的安価なボトル密閉用キャップを提供することである。
【課題を解決するための手段】
【００２０】
上記目的は、請求項１に記載の本発明に係るボトル密閉用キャップ、すなわち、有底円筒状のボトルに螺合する樹脂製、柔軟樹脂製あるいは柔軟剤入り樹脂製のボトル密閉用キャップであって、ボトル密閉用キャップの栓部の自由端近くが自由端に向かうにつれて外径が大きくなるとともに肉厚が薄くなる可変形部となっており、ボトル密閉用キャップの栓部の可変形部がボトルの内側面に当接して密封することを特徴とするボトル密閉用キャップによって、達成される。
【００２１】
また、上記目的は、請求項２に記載の本発明に係るボトル密閉用キャップ、すなわち、有底円筒状のボトルに挿入する樹脂製、柔軟樹脂製あるいは柔軟剤入り樹脂製のボトル密閉用キャップであって、ボトル密閉用キャップの栓部の自由端近くが自由端に向かうにつれて外径が大きくなるとともに肉厚が薄くなる可変形部となっており、ボトル密閉用キャップの栓部の可変形部がボトルの内側面に当接して密封することを特徴とするボトル密閉用キャップによっても、達成される。
【００２２】
本発明の好ましい実施態様においては、請求項３に記載のように、可変形部の先端が円形である。
【００２３】
本発明の他の好ましい実施態様においては、請求項４に記載のように、可変形部の先端が楕円形である。
【００２４】
また、本発明のさらに他の好ましい実施態様においては、請求項５に記載のように、可変形部の先端が正ｎ角形（ただし、ｎは５以上の整数）である。
【発明の効果】
【００２５】
本発明のボトル密閉用キャップによれば、栓部の自由端近くが、自由端に向かうにつれて外径が大きくなるとともに肉厚が薄くなる可変部となっているので、ボトルのテーパー面が変形していたり、多少の傷溝があっても、あるいは、ボトル密閉用キャップをボトルへ取り付けるについて、多少の位置ずれがあっても、可変部が対応して変形するので、容易な操作によって、ボトルを密閉することができる。また、繰り返し開閉しても同等に密封することができる。
【発明を実施するための最良の形態】
【００２６】
以下、本発明のボトル密閉用キャップの実施形態について、添付図面を参照して、説明する。
【００２７】
第１実施形態
図１は本発明のボトル密閉用キャップの第１実施形態とボトルを示す正面断面図である。
【００２８】
ボトル２は従来のボトルと同様であるので、説明を省略する。
【００２９】
ボトル密閉用キャップ１はつまみ部１０と上部１２と栓部１３と可変部１４とからなる。
【００３０】
つまみ部１０、上部１２、栓部１３については、前述した従来のボトル密閉用キャップと同様であるので、省略する。
【００３１】
可変部１４は栓部１３に、中心軸を共有して接続されている。可変部１４の外側面は円錐台側面状であり、自由端に向かうにつれて外径が大きくなっている。そして、可変部１４の内側面１４ｃも円錐台側面状であり、自由端１４ａに向かうにつれて内径が大きくなっている。自由端においては、外径と内径がほぼ等しく、肉厚はほぼ０であるが、可変部１４の肉厚は、自由端に向かうにつれて、薄くなっている。また、可変部１４は、柔軟樹脂製あるいは柔軟剤入り樹脂製であり、弾性材料が用いられている。
【００３２】
次に、本実施形態のボトル密閉用キャップをボトルにネジ込む操作について説明する。
【００３３】
ボトル２の口部２０の内面２０ａの内側空間に、ボトル密閉用キャップ１の可変部１４を挿入し、さらに差し込むと、可変部１４の自由端１４ａが、テーパー面２３に当接し始めるとともに、ボトル２の口部２０のネジ山２１とボトル密閉用キャップ１のつまみ部１０のネジ溝１１とが接触し始める。
【００３４】
続いて、ボトル２に対してボトル密閉用キャップ１を回転し、ネジ込むと、可変部１４の自由端１４ａは、テーパー面２３に接触しつつ外径が縮むように変形しつつ、下方へ移動する。さらに増し締めすると、可変部１４の自由端１４ａの近傍部分は外径が縮むように変形し、テーパー面２３に接触する。
【００３５】
その結果、可変部１４の自由端１４ａの近傍部分とテーパー面２３との接触により、ボトル２を完全に密閉することができる。ボトル２のテーパー面の形状や寸法が多少設計どおりでなくとも、その形状・寸法誤差を自由端１４ａの変形によってカバーし、完全に密閉することができるのである。
【００３６】
第２実施形態
図５は本発明のボトル密閉用キャップの第２実施形態とボトルを示す正面断面図である。
【００３７】
可変部１４は第１実施形態における可変部と同様の設計である。
【００３８】
第１実施形態のボトル密閉用キャップとの主な相違点は、つまみ部１０の内面にネジ溝１１を形成していないことである。第２実施形態のボトル密閉用キャップ１においては、内面がほぼ円筒側面状であり、その自由端の近くに係合用くぼみ１６が形成されている。この係合用くぼみ１６は円周方向に連続あるいは不連続の円周構造であってもよいし、または点状であってもよい。
【００３９】
ボトル２の口部２０の外面にはネジ山がなく、円柱側面状であり、外面の根もと近くには、ボトル密閉用キャップ１の係合用くぼみ１６に対応して、係合用突起２７が形成されている。係合用突起２７は、円周方向に等間隔で配置された複数の点状であるのが好ましいが、円周方向に連続あるいは不連続の尾根状であってもよい。
【００４０】
第２実施形態のボトル密閉用キャップはボトルに対しネジ込むのではなく、押し込む操作だけで、密閉することができる。そして、係合用くぼみ１６と係合用突起２７とが係合することによって、密閉位置が確認できるとともに、はずれにくくすることができる。
【００４１】
第１実施形態及び第２実施形態においては、可変部の自由端の形状が円形であるが、他の実施形態においては楕円形であってもよい。中心軸が所定の傾斜角度をなして挿入する場合には傾斜角度に対応した楕円形状とすることによって、可変部の自由端とボトルのテーパー面とがほぼ一様に接触することができる。
【００４２】
さらに他の実施形態においては、可変部の自由端の形状が正６角形とすることができる。美観に優れ、テーパー面と点接触から当接が始まる。
【図面の簡単な説明】
【００４３】
【図１】本発明のボトル密閉用キャップの第１実施形態とボトルを示す正面断面図である。
【図２】従来のボトル密閉用キャップの正面断面図である。
【図３】従来のボトルとボトル密閉用キャップとの密閉不良を示す正面断面図である。
【図４】従来のボトルとボトル密閉用キャップとの他の密封不良を示す平面断面図である。
【図５】本発明のボトル密閉用キャップの第２実施形態とボトルを示す正面断面図である。
【符号の説明】
【００４４】
１      ボトル密閉用キャップ
１０    つまみ部
１１    ネジ溝
１２    上部
１３    栓部
１４    可変部
１４ａ  自由端
１４ｃ  内側面
１５    テーパー部
１５ｃ  側面
１６    係合用くぼみ
２      ボトル
２０    口部
２０ａ  内面
２１    ネジ山
２２    本体部
２３    テーパー面
２４    下部面
２５    底部
２６    脚部
２７    係合用突起
【図１】
2007001610.tif 000003
【図２】
2007001610.tif 000004
【図３】
2007001610.tif 000005
【図４】
2007001610.tif 000006
【図５】
2007001610.tif 000007